(57)【要約】【課題】ＡＲＱなどの自動再送制御が用いられる場合において、ＬＳＢエンコーディングなど、本来伝達すべき番号ビット列の一部のみを送信する符号化方式を用いつつ、受信側においてより確実に当該番号ビット列に復号化する通信システム、通信装置及び通信方法を提供する。【解決手段】通信システムにおいて用いられる解釈期間ＩＮＴＡＬＬには、ＬａｓｔＳｅｎｄＡｃｋＮｕｍ±０よりも後に送信される５ビットシーケンス番号（ＬａｓｔＳｅｎｄＡｃｋＮｕｍ）に対応付けられた未来方向期間ＩＮＴＦと、ＬａｓｔＳｅｎｄＡｃｋＮｕｍ±０よりも先に送信された５ビットシーケンス番号（ＬａｓｔＳｅｎｄＡｃｋＮｕｍ）に対応付けられた過去方向期間ＩＮＴＰとが設けられる。送信側は、未来方向期間ＩＮＴＦに対応付けられた５ビットシーケンス番号までを上限として、１３ビットシーケンス番号を５ビットシーケンス番号に符号化する。【選択図】図６
2008060850.tif 000002
【特許請求の範囲】
【請求項１】
送信装置が、伝達すべき番号ビット列の一部である部分番号ビット列に符号化して送信し、
受信装置が、受信した前記部分番号ビット列、及び前記送信装置と前記受信装置とにおいて共有されている参照値を用いて、前記番号ビット列に復号化することができる部分番号ビット列の範囲である期間を変えながら前記番号ビット列に復号化するとともに、
前記部分番号ビット列の自動再送制御が実行される通信システムであって、
前記送信装置は、前記受信装置が正常に受信できた前記部分番号ビット列である最新部分番号ビット列を基準として、前記最新部分番号ビット列よりも後に送信される部分番号ビット列に対応付けられた未来方向期間について、前記符号化を行う符号化処理部を備え、
前記受信装置は、前記最新部分番号ビット列を基準として、少なくとも前記最新部分番号ビット列よりも先に前記送信装置から送信された部分番号ビット列に対応付けられた過去方向期間について、前記復号化を行う復号化処理部を備える通信システム。
【請求項２】
前記過去方向期間は、前記未来方向期間以上の長さである請求項１に記載の通信システム。
【請求項３】
前記受信装置が前記番号ビット列に復号化することができる部分番号ビット列の範囲である期間は、前記未来方向期間と前記過去方向期間とで構成され、
前記未来方向期間は、前記受信装置が番号ビット列に復号化することができる部分番号ビット列の範囲である期間の略半分の期間を占有し、
前記符号化処理部は、前記未来方向期間に対応付けられた部分番号ビット列までを上限として、前記番号ビット列を部分番号ビット列に符号化する請求項１に記載の通信システム。
【請求項４】
前記符号化処理部は、前記部分番号ビット列を再送する際に、前記未来方向期間に対応付けられた部分番号ビット列までを上限として、前記番号ビット列を部分番号ビット列に符号化する請求項１に記載の通信システム。
【請求項５】
前記部分番号ビット列は、パケットに格納され、
前記部分番号ビット列は、前記パケットと対応付けられる請求項１乃至４の何れか一項に記載の通信システム。
【請求項６】
前記部分番号ビット列は、パケットに格納され、
前記部分番号ビット列は、前記パケットに格納されるデータ列と対応付けられる請求項１乃至４の何れか一項に記載の通信システム。
【請求項７】
伝達すべき番号ビット列の一部である部分番号ビット列を通信先から受信し、受信した前記部分番号ビット列、及び前記通信先と共有されている参照値を用いて、前記番号ビット列に復号化することができる部分番号ビット列の範囲である期間を順次変えながら前記番号ビット列に復号化するとともに、
前記部分番号ビット列の自動再送制御を実行する通信装置であって、
前記期間は、正常に受信できた前記部分番号ビット列である最新部分番号ビット列を基準として、前記最新部分番号ビット列よりも後に前記通信先から送信される部分番号ビット列に対応付けられた未来方向期間と、前記最新部分番号ビット列よりも先に送信された部分番号ビット列に対応付けられた過去方向期間とで構成されており、
前記過去方向期間は、前記未来方向期間以上の長さを有し、
前記最新部分番号ビット列を基準として、少なくとも前記最新部分番号ビット列よりも前記過去方向期間について、前記復号化を行う復号化処理部を備える通信装置。
【請求項８】
送信側の通信装置が、伝達すべき番号ビット列の一部である部分番号ビット列を符号化して送信し、
受信側の通信装置が、受信した前記部分番号ビット列、及び前記送信側の通信装置とにおいて共有されている参照値を用いて、前記番号ビット列に復号化することができる部分番号ビット列の範囲である期間を順次変えながら前記番号ビット列に復号化するとともに、
前記部分番号ビット列の自動再送制御を実行する通信装置であって、
前記受信側の通信装置が正常に受信できた前記部分番号ビット列である最新部分番号ビット列を基準として、前記最新部分番号ビット列よりも後に送信される部分番号ビット列に対応付けられた未来方向期間について、前記符号化を行う符号化処理部を備える通信装置。
【請求項９】
前記未来方向期間は、前記受信側の通信装置が前記番号ビット列に復号化することができる部分番号ビット列の範囲である期間の略半分の期間を占有するように構成され、
前記符号化処理部は、前記未来方向期間に対応付けられた部分番号ビット列までを上限として、前記番号ビット列を部分番号ビット列に符号化する請求項８に記載の通信装置。
【請求項１０】
前記符号化処理部は、前記部分番号ビット列を再送する際に、前記未来方向期間に対応付けられた部分番号ビット列までを上限として、前記番号ビット列を部分番号ビット列に符号化する請求項８に記載の通信装置。
【請求項１１】
前記部分番号ビット列は、パケットに格納され、
前記部分番号ビット列は、前記パケットと対応付けられる請求項７乃至１０の何れか一項に記載の通信装置。
【請求項１２】
前記部分番号ビット列は、パケットに格納され、
前記部分番号ビット列は、前記パケットに格納されるデータ列と対応付けられる請求項７乃至１０の何れか一項に記載の通信装置。
【請求項１３】
前記送信装置が、伝達すべき番号ビット列の一部である部分番号ビット列に符号化して送信するステップと、
前記受信装置が、受信した前記部分番号ビット列、及び前記送信装置と前記受信装置とにおいて共有されている参照値を用いて、前記番号ビット列に復号化することができる部分番号ビット列の範囲である期間を順次変えながら前記番号ビット列に復号化するステップと
を備え、
前記送信装置と前記受信装置との間において、前記部分番号ビット列の自動再送制御が実行される通信方法であって、
前記送信装置は、前記受信装置が正常に受信できた前記部分番号ビット列である最新部分番号ビット列を基準として、前記最新部分番号ビット列よりも後に送信される部分番号ビット列に対応付けられた未来方向期間について、前記符号化を行うステップと、
前記受信装置が、前記最新部分番号ビット列を基準として、少なくとも前記最新部分番号ビット列よりも先に前記送信装置から送信された部分番号ビット列に対応付けられた過去方向期間について、前記復号化を行うステップと
をさらに備える通信方法。
【発明の詳細な説明】
【技術分野】
【０００１】
本発明は、ＬＳＢエンコーディングなど、伝達すべき番号ビット列の一部である部分番号ビット列のみを送信するとともに、番号ビット列に復号化することができる部分番号ビット列の範囲である解釈期間を順次スライドさせるスライド窓方式が導入された通信システム、通信装置及び通信方法に関する。
【背景技術】
【０００２】
移動体通信システムなどの無線通信システムでは、有線通信システムと比較して、送信したパケットなどが無線区間において喪失することが多いため、一般的に、喪失したパケットなどを再送する自動再送制御（例えば、ＡＲＱ）が広く用いられている（例えば、特許文献１及び非特許文献１）。
【０００３】
また、無線通信システムでは、周波数帯域などの無線リソースを効率的に利用するため、伝達すべき情報のビット数を削減（圧縮）する様々な符号化方式も実現されている。例えば、パケットのヘッダで用いられるシーケンス番号など、送信装置が伝達すべき番号ビット列（Ｖ＿ｔａｒｇｅｔ）のうち、最下位ビット（ＬＳＢ）からの規定ビット数の情報（部分番号ビット列）のみを送信するＬＳＢエンコーディングが知られている。
【０００４】
ＬＳＢエンコーディングでは、ＬＳＢからの規定ビット数の情報のみが送信されるため、受信装置では、受信したＬＳＢからの規定ビット数の情報に、送信されなかった上位ビットの情報を補完して、番号ビット列（Ｖ＿ｔａｒｇｅｔ）に復号化する必要がある。
【０００５】
具体的には、送信装置と受信装置とは、参照値（Ｖ＿ｒｅｆ）を共有する。送信装置は、伝達すべき番号ビット列の一部であるシーケンス番号（ＳＮ）を送信する。シーケンス番号（ＳＮ）のビット数をkビットとした場合、参照値（Ｖ＿ｒｅｆ）を共有している受信装置は、シーケンス番号（ＳＮ）を受信することによって、Ｖ＿ｒｅｆ〜Ｖ＿ｒｅｆ+２ｋ−１の範囲までの値をＶ＿ｔａｒｇｅｔ、つまり、送信装置が本来伝達すべき番号ビット列として解釈することができる。ここで、Ｖ＿ｒｅｆ〜Ｖ＿ｒｅｆ+２ｋ−１は、“解釈期間”（interpretation interval）と呼ばれる。
【０００６】
また、ＬＳＢエンコーディングを用いる場合、上述した解釈期間を可変にするため、スライド窓（sliding window）方式も広く用いられている。スライド窓方式では、変数（Ｐ）を導入し、参照値（Ｖ＿ｒｅｆ）を順次スライドさせる。具体的には、受信装置が受信したシーケンス番号（ＳＮ）に基づいて番号ビット列（Ｖ＿ｔａｒｇｅｔ）に復号化できた場合、送信装置と受信装置とにおいて、参照値（Ｖ＿ｒｅｆ）の値が更新される。
【特許文献１】特開２００２−９７４１号公報（第５−６頁、第１図）
【非特許文献１】“High Capacity-Spatial Division Multiple Access (HC-SDMA) WTSC - 2005 - 032 (ATIS/ANSI)”
【発明の開示】
【発明が解決しようとする課題】
【０００７】
ところで、無線通信システムでは、一般的に、有線通信システムと比較して、極めて小さいパケットサイズとなることが多い。すなわち、パケット単位の伝送効率を向上させるためには、パケットのヘッダに割り当てられるビット数を可能な限り削減することが望ましい。
【０００８】
しかしながら、ＬＳＢエンコーディングにしたがって符号化されたシーケンス番号（ＳＮ）をパケットのヘッダによって伝送する場合、ヘッダに割り当てられるビット数が削減されると、シーケンス番号（ＳＮ）として表現可能なビット数が制限されてしまう。さらに、上述したスライド窓方式が導入されたＬＳＢエンコーディングでは、通信中に参照値（Ｖ＿ｒｅｆ）が順次スライドするため、受信装置がシーケンス番号（ＳＮ）に基づいて番号ビット列（Ｖ＿ｔａｒｇｅｔ）に正しく復号化できる解釈期間も順次スライドする。
【０００９】
このため、スライド窓方式が導入されたＬＳＢエンコーディングでは、シーケンス番号（ＳＮ）として表現可能なビット数が制限されると、現在の解釈期間“外”に該当するパケットがＡＲＱによって再送された場合、受信装置は、再送された当該パケットを用いて番号ビット列（Ｖ＿ｔａｒｇｅｔ）に正しく復号化できず、送信装置と受信装置とにおける参照値（Ｖ＿ｒｅｆ）の同期が崩れるといった問題が生じる。
【００１０】
一方、この問題が生じることを回避するため、再送されたパケットであることを示す情報をヘッダに設けると、ヘッダに割り当てるべきビット数が増加してしまうといった別の問題を惹起する。
【００１１】
そこで、本発明は、このような状況に鑑みてなされたものであり、ＡＲＱなどの自動再送制御が用いられる場合において、ＬＳＢエンコーディングなど、本来伝達すべき番号ビット列の一部のみを送信する符号化方式を用いつつ、受信側においてより確実に当該番号ビット列に復号化する通信システム、通信装置及び通信方法を提供することを目的とする。
【課題を解決するための手段】
【００１２】
上述した問題を解決するため、本発明は、次のような特徴を有している。まず、本発明の第１の特徴は、送信装置（無線端末１００）が、伝達すべき番号ビット列（１３ビットシーケンス番号）の一部である部分番号ビット列（５ビットシーケンス番号）に符号化して送信し、受信装置（無線基地局２００）が、受信した前記部分番号ビット列、及び前記送信装置と前記受信装置とにおいて共有されている参照値（ＬａｓｔＳｅｎｄＡｃｋＮｕｍ，ＬａｓｔＡｃｋＰｅｅｒ）を用いて、前記番号ビット列に復号化することができる部分番号ビット列の範囲である期間（解釈期間ＩＮＴＡＬＬ）を変えながら前記番号ビット列に復号化するとともに、前記部分番号ビット列の自動再送制御（例えば、ＡＲＱ）が実行される通信システム（通信システム１０）であって、前記送信装置は、前記受信装置が正常に受信できた前記部分番号ビット列である最新部分番号ビット列（ＬａｓｔＳｅｎｄＡｃｋＮｕｍ±０）を基準として、前記最新部分番号ビット列よりも後に送信される部分番号ビット列に対応付けられた未来方向期間（未来方向期間ＩＮＴＦ）について、前記符号化を行う符号化処理部を備え、前記受信装置は、前記最新部分番号ビット列を基準として、少なくとも前記最新部分番号ビット列よりも先に前記送信装置から送信された部分番号ビット列に対応付けられた過去方向期間（過去方向期間ＩＮＴＰ）について、前記復号化を行う復号化処理部（符号化・復号化処理部１０５）を備えることを要旨とする。
【００１３】
このような通信システムによれば、番号ビット列に復号化することができる部分番号ビット列の範囲である期間には、最新部分番号ビット列よりも後に送信される部分番号ビット列に対応付けられた未来方向期間と、最新部分番号ビット列よりも先に送信された部分番号ビット列に対応付けられた過去方向期間とが設けられる。また、送信装置は、未来方向期間に対応付けられた部分番号ビット列までを上限として、番号ビット列を部分番号ビット列に符号化する。
【００１４】
このため、受信装置における当該期間の範囲を逸脱する部分番号ビット列が送信側によって再送されることはない。すなわち、自動再送制御によって部分番号ビット列を格納するパケットが再送された場合でも、最新部分番号ビット列よりも先に送信された部分番号ビット列に対応付けられた過去方向期間が設けられているため、部分番号ビット列を正しく番号ビット列に復号化できる。
【００１５】
本発明の第２の特徴は、本発明の第１の特徴に係り、前記過去方向期間は、前記未来方向期間以上の長さであることを要旨とする。
【００１６】
本発明の第３の特徴は、本発明の第１の特徴に係り、前記受信装置が前記番号ビット列に復号化することができる部分番号ビット列の範囲である期間は、前記未来方向期間と前記過去方向期間とで構成され、前記未来方向期間は、前記受信装置が番号ビット列に復号化することができる部分番号ビット列の範囲である期間の略半分の期間を占有し、前記符号化処理部は、前記未来方向期間に対応付けられた部分番号ビット列までを上限として、前記番号ビット列を部分番号ビット列に符号化することを要旨とする。
【００１７】
本発明の第４の特徴は、本発明の第１の特徴に係り、前記符号化処理部は、前記部分番号ビット列を再送する際に、前記未来方向期間に対応付けられた部分番号ビット列までを上限として、前記番号ビット列を部分番号ビット列に符号化することを要旨とする。
【００１８】
本発明の第５の特徴は、本発明の第１乃至第４の特徴に係り、前記部分番号ビット列は、パケット（例えば、パケットＰｙ）に格納され、前記部分番号ビット列は、前記パケットと対応付けられることを要旨とする。
【００１９】
本発明の第６の特徴は、本発明の第１乃至第４の特徴に係り、前記部分番号ビット列は、パケットに格納され、前記部分番号ビット列は、前記パケットに格納されるデータ列（データ列ＤＢ）と対応付けられることを要旨とする。
【００２０】
本発明の第７の特徴は、伝達すべき番号ビット列の一部である部分番号ビット列を通信先から受信し、受信した前記部分番号ビット列、及び前記通信先と共有されている参照値を用いて、前記番号ビット列に復号化することができる部分番号ビット列の範囲である期間を順次変えながら前記番号ビット列に復号化するとともに、前記部分番号ビット列の自動再送制御を実行する通信装置であって、前記期間は、正常に受信できた前記部分番号ビット列である最新部分番号ビット列を基準として、前記最新部分番号ビット列よりも後に前記通信先から送信される部分番号ビット列に対応付けられた未来方向期間と、前記最新部分番号ビット列よりも先に送信された部分番号ビット列に対応付けられた過去方向期間とで構成されており、前記過去方向期間は、前記未来方向期間以上の長さを有し、前記最新部分番号ビット列を基準として、少なくとも前記最新部分番号ビット列よりも前記過去方向期間について、前記復号化を行う復号化処理部を備えることを要旨とする。
【００２１】
本発明の第８の特徴は、送信側の通信装置が、伝達すべき番号ビット列の一部である部分番号ビット列を符号化して送信し、受信側の通信装置が、受信した前記部分番号ビット列、及び前記送信側の通信装置とにおいて共有されている参照値を用いて、前記番号ビット列に復号化することができる部分番号ビット列の範囲である期間を順次変えながら前記番号ビット列に復号化するとともに、前記部分番号ビット列の自動再送制御を実行する通信装置であって、前記受信側の通信装置が正常に受信できた前記部分番号ビット列である最新部分番号ビット列を基準として、前記最新部分番号ビット列よりも後に送信される部分番号ビット列に対応付けられた未来方向期間について、前記符号化を行う符号化処理部を備えることを要旨とする。
【００２２】
本発明の第９の特徴は、本発明の第８の特徴に係り、前記未来方向期間は、前記受信側の通信装置が前記番号ビット列に復号化することができる部分番号ビット列の範囲である期間の略半分の期間を占有するように構成され、前記符号化処理部は、前記未来方向期間に対応付けられた部分番号ビット列までを上限として、前記番号ビット列を部分番号ビット列に符号化することを要旨とする。
【００２３】
本発明の第１０の特徴は、本発明の第８の特徴に係り、前記符号化処理部は、前記部分番号ビット列を再送する際に、前記未来方向期間に対応付けられた部分番号ビット列までを上限として、前記番号ビット列を部分番号ビット列に符号化することを要旨とする。
【００２４】
本発明の第１１の特徴は、本発明の第７乃至第１０の特徴に係り、前記部分番号ビット列は、パケットに格納され、前記部分番号ビット列は、前記パケットと対応付けられることを要旨とする。
【００２５】
本発明の第１２の特徴は、本発明の第７乃至第１０の特徴に係り、前記部分番号ビット列は、パケットに格納され、前記部分番号ビット列は、前記パケットに格納されるデータ列と対応付けられることを要旨とする。
【００２６】
本発明の第１３の特徴は、前記送信装置が、伝達すべき番号ビット列の一部である部分番号ビット列に符号化して送信するステップと、前記受信装置が、受信した前記部分番号ビット列、及び前記送信装置と前記受信装置とにおいて共有されている参照値を用いて、前記番号ビット列に復号化することができる部分番号ビット列の範囲である期間を順次変えながら前記番号ビット列に復号化するステップとを備え、前記送信装置と前記受信装置との間において、前記部分番号ビット列の自動再送制御が実行される通信方法であって、前記送信装置は、前記受信装置が正常に受信できた前記部分番号ビット列である最新部分番号ビット列を基準として、前記最新部分番号ビット列よりも後に送信される部分番号ビット列に対応付けられた未来方向期間について、前記符号化を行うステップ（ｔ１）と、前記受信装置が、前記最新部分番号ビット列を基準として、少なくとも前記最新部分番号ビット列よりも先に前記送信装置から送信された部分番号ビット列に対応付けられた過去方向期間について、前記復号化を行うステップ（ｔ２〜ｔ３）とをさらに備えることを要旨とする。
【発明の効果】
【００２７】
本発明の特徴によれば、ＡＲＱなどの自動再送制御が用いられる場合において、ＬＳＢエンコーディングなど、本来伝達すべき番号ビット列の一部のみを送信する符号化方式を用いつつ、受信側においてより確実に当該番号ビット列に復号化する通信システム、通信装置及び通信方法を提供することができる。
【発明を実施するための最良の形態】
【００２８】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２９】
したがって、具体的な寸法などは以下の説明を参酌して判断すべきものである。また、図面相互間においても互いの寸法の関係や比率が異なる部分が含まれていることは勿論である。
【００３０】
（通信システムの全体概略構成）
図１は、本実施形態に係る通信システムの全体概略構成図である。図１に示すように、通信システム１０は、無線端末１００と無線基地局２００とによって構成される。なお、通信システム１０に含まれる無線端末１００及び無線基地局２００の数量は、図１に示す数量に限定されるものではない。
【００３１】
通信システム１０では、伝達すべき番号ビット列のうち、最下位ビット（ＬＳＢ）からの規定ビット数の情報（部分番号ビット列）のみを送信するＬＳＢエンコーディングが用いられる。具体的には、パケットに付加される１３ビットシーケンス番号のうち、最下位ビット（ＬＳＢ）から５ビットのみの情報、つまり、５ビットシーケンス番号がパケットのヘッダに格納されて送信される（図９参照）。
【００３２】
さらに、通信システム１０では、受信したパケットのヘッダに格納される５ビットシーケンス番号、及び無線端末１００と無線基地局２００とにおいて共有されている参照値（ＬａｓｔＳｅｎｄＡｃｋＮｕｍ，ＬａｓｔＡｃｋＰｅｅｒ）を用いて、１３ビットシーケンス番号に復号化することができる５ビットシーケンス番号の範囲である期間、具体的には、解釈期間（interpretation interval）を順次スライドさせるスライド窓（sliding window）方式が導入されている。
【００３３】
また、通信システム１０では、パケットの自動再送制御（ＡＲＱ）が実行される。
【００３４】
（通信システムの機能ブロック構成）
図２は、無線端末１００の機能ブロック構成図である。図３は、無線基地局２００の機能ブロック構成図である。図２及び図３に示すように、無線端末１００と無線基地局２００とは、概ね同様の機能ブロック構成を有する。
【００３５】
具体的には、無線端末１００は、無線通信部１０１、再送制御部１０３、符号化・復号化処理部１０５、スライド窓制御部１０７及びパケット処理部１０９（ＲＡＭ１０９ａを含む）を備える。
【００３６】
無線基地局２００は、無線通信部２０１、再送制御部２０３、符号化・復号化処理部２０５、スライド窓制御部２０７及びパケット処理部２０９（ＲＡＭ２０９ａを含む）を備える。
【００３７】
以下、無線端末１００の各機能ブロックについて説明し、無線基地局２００の各機能ブロックについては、説明を省略する。また、以下、本発明との関連がある部分について主に説明する。したがって、無線端末１００及び無線基地局２００は、当該装置としての機能を実現する上で必須な、図示しない或いは説明を省略したブロック（電源部など）を備える場合があることに留意されたい。なお、本実施形態では、無線端末１００から無線基地局２００への上り方向の通信を例として説明するが、無線基地局２００から無線端末１００への下り方向の通信も同様に実行される。
【００３８】
無線通信部１０１は、無線基地局２００と無線信号を送受信する。また、無線通信部１０１は、符号化・復号化処理部１０５と接続されており、パケットなどを含むベースバンド信号と無線信号との変復調処理を実行する。
【００３９】
再送制御部１０３は、パケットの自動再送制御（ＡＲＱ）を実行する。当該ＡＲＱでは、送信側は、送信対象の最後のパケット（またはデータ列）に付加されるシーケンス番号をパケットのヘッダに格納し、当該パケットを送信する。受信側は、受信したパケットに格納されるデータ列のうち、欠落せずに連続している最後尾のデータ列を格納するパケットのシーケンス番号を、ａｃｋとして送信側に返送する。
【００４０】
送信側は、既に送信したパケットのシーケンス番号よりも古いシーケンス番号、つまり、数値が小さいシーケンス番号をａｃｋとして受信した場合、ａｃｋとして受信したシーケンス番号に対応するデータ列を格納したパケットを再送する。受信側は、再送されたパケットによってデータ列の欠落部分を取得すると、最後尾のデータ列を格納したパケットのシーケンス番号を、ａｃｋとして送信側に返送する。
【００４１】
符号化・復号化処理部１０５は、ＬＳＢエンコーディングに関する処理を実行する。具体的には、符号化・復号化処理部１０５は、パケット処理部１０９によって組み立てられたパケットに付加される１３ビットシーケンス番号のうち、最下位ビット（ＬＳＢ）から５ビットのみの情報、つまり、５ビットシーケンス番号をパケットのヘッダに格納する。
【００４２】
また、符号化・復号化処理部１０５は、受信したパケットのヘッダに格納される５ビットシーケンス番号を１３ビットシーケンス番号に復号化する。
【００４３】
スライド窓制御部１０７は、スライド窓の制御を実行する。具体的には、スライド窓制御部１０７は、受信したパケットのヘッダに格納される５ビットシーケンス番号、及び無線端末１００と無線基地局２００とにおいて共有されている参照値を用いて、１３ビットシーケンス番号に復号化することができる５ビットシーケンス番号の範囲である解釈期間を順次変える、具体的には、スライド窓制御部１０７は、解釈期間を順次スライドさせる。
【００４４】
なお、無線端末１００と無線基地局２００とにおいて共有されている参照値とは、無線端末１００と無線基地局２００との間において、連携して更新される値であり、本実施形態では、ＬａｓｔＳｅｎｄＡｃｋＮｕｍ及びＬａｓｔＡｃｋＰｅｅｒ（図５（ａ）及び（ｂ）参照）が参照値として用いられる。
【００４５】
パケット処理部１０９は、パケットの組立及び分解処理を実行する。具体的には、パケット処理部１０９は、ＲＡＭ１０９ａにパケットに格納されるデータ列を記憶しながら、パケットの組立及び分解処理を実行する。
【００４６】
（パケット構成）
次に、無線端末１００及び無線基地局２００が送受信するパケットの構成について説明する。図４（ａ）及び（ｂ）は、無線端末１００及び無線基地局２００が送受信するパケットの構成図である。
【００４７】
本実施形態では、パケットＰｘ，Ｐｙの長さは、固定（７６ビット）である。パケットＰｘ，Ｐｙは、ヘッダＨＤとペイロードＰＬとによって構成されている。また、パケットＰｘ，ＰｙのヘッダＨＤは、表１のように規定される。
【００４８】
【表１】
2008060850.tif 000003
本実施形態では、図４（ａ）に示すように、１３ビットシーケンス番号がヘッダＨＤに格納されるパケットＰｘ、または図４（ｂ）に示すように、１３ビットシーケンス番号のうち、最下位ビット（ＬＳＢ）から５ビットのみの情報、つまり、５ビットシーケンス番号がヘッダＨＤに格納されるパケットＰｙとが使い分けられる。
【００４９】
本実施形態では、シーケンス番号（１３ビットシーケンス番号，５ビットシーケンス番号）は、パケット（パケットＰｘ，Ｐｙ）と対応付けられる。
【００５０】
パケットＰｘでは、ヘッダＨＤの長さは、２７ビットである。一方、パケットＰｙでは、ヘッダＨＤの長さは、１９ビットである。つまり、パケットＰｙでは、ヘッダＨＤの長さが８ビット分短くなっている。
【００５１】
ペイロードＰＬは、パディングビットＰＢとデータ列ＤＢとによって構成される。パディングビットＰＢは、データ列ＤＢの開始位置を示すためのビットであり、ペイロードＰＬにおいて、最初の“１”までの部分である。つまり、パディングビットＰＢの長さは、可変である。
【００５２】
パディングビットＰＢの直後にはデータ列ＤＢが位置する。データ列ＤＢでは、パディングビットＰＢの直後のビットが、最初のデータバイト（ｄａｔａ ｂｙｔｅ １）のＭＳＢであり、パケットＰｘ，Ｐｙの最後尾ビットが、最後尾に位置するデータバイト（例えば、ｄａｔａ ｂｙｔｅ６）のＬＳＢである。
【００５３】
図４（ａ）に示すように、１３ビットシーケンス番号が用いられるパケットＰｘは、最大６バイトのデータを格納することができる。一方、図４（ｂ）に示すように、５ビットシーケンス番号が用いられるパケットＰｙは、最大７バイトのデータを格納することができる。なお、パケットＰｘ，Ｐｙは、パディングビットＰＢのみによってペイロードＰＬが構成、つまり、データ列ＤＢを含まないペイロードＰＬを構成することができる。パディングビットＰＢのみによってペイロードＰＬが構成されるパケットを、本実施形態では、“空データパケット”（図４（ａ），（ｂ）の最下段参照）という。
【００５４】
（ＲＡＭの使用形態）
次に、無線端末１００のパケット処理部１０９を構成するＲＡＭ１０９ａ、及び無線基地局２００のパケット処理部２０９を構成するＲＡＭ２０９ａの使用形態について説明する。
【００５５】
図５（ａ）及び（ｂ）は、ＲＡＭ１０９ａ及びＲＡＭ２０９ａの使用形態を説明する説明図である。なお、ここでは、無線端末１００が無線基地局２００にパケットＰｙを送信する場合について説明する。
【００５６】
無線端末１００と無線基地局２００とが論理的な通信路を確立した場合、送信側（無線端末１００）及び受信側（無線基地局２００）は、シーケンス番号（１３ビットシーケンス番号，５ビットシーケンス番号）の初期値を“０”に設定する。
【００５７】
送信側は以下の変数を管理する。
【００５８】
・  ＬａｓｔＳｅｎｄＮｕｍ：  既に送信した最後尾のパケットのシーケンス番号
・  ＬａｓｔＡｃｋＰｅｅｒ：  ａｃｋとして受信したシーケンス番号
送信側は、ＬａｓｔＡｃｋＰｅｅｒの次のシーケンス番号が付加されたパケットから、ＬａｓｔＳｅｎｄＮｕｍが付加されたパケットに格納されるペイロードＰＬ（データ列ＤＢ）を、ａｃｋ待ち送信データＴＤとしてＲＡＭ１０９ａに記憶しておき、パケットの再送に備える。
【００５９】
なお、シーケンス番号は、１３ビットであるため、０〜８１９１までを表現することができる。シーケンス番号は、８１９１に到達すると、０に戻り、０〜８１９１の値が繰り返し用いられる。また、「最後尾」のパケット（またはデータ列）とは、最近に送信または受信したパケット（またはデータ列）をいう。
【００６０】
送信側は、送信しようとしているパケットのシーケンス番号と、ＬａｓｔＡｃｋＰｅｅｒとの差が、２（５−１）−１、つまり、１５以内である場合、１３ビットシーケンス番号ではなく、５ビットシーケンス番号を用いる。
【００６１】
一方、受信側は、以下の変数を管理する。
【００６２】
・  ＬａｓｔＳｅｎｄＡｃｋＮｕｍ：  受信したパケットに格納されるデータ列のうち、欠落せずに連続している最後尾のデータ列を格納するパケットのシーケンス番号
・  ＬａｓｔＲｅｃｅｉｖｅＮｕｍ：  受信した最後尾のデータ列を格納するパケットのシーケンス番号
なお、図５（ｂ）において、受信済データＲＤ１は、既に受信したペイロードＰＬ（データ列ＤＢ）を示す。未受信データＲＤ２は、未だ受信していないペイロードＰＬ（データ列ＤＢ）を示す。
【００６３】
（解釈期間）
次に、無線端末１００及び無線基地局２００が管理する解釈期間について説明する。図６は、本実施形態に係る解釈期間の構成を示す。上述したように、本実施形態では、ＬＳＢエンコーディングによって、５ビットシーケンス番号が用いられるため、解釈期間ＩＮＴＡＬＬのサイズは、３２（＝２５）となる。
【００６４】
解釈期間ＩＮＴＡＬＬには、未来方向期間ＩＮＴＦと、過去方向期間ＩＮＴＰとが設けられる。未来方向期間ＩＮＴＦは、無線基地局２００が正常に受信できた５ビットシーケンス番号であるＬａｓｔＳｅｎｄＡｃｋＮｕｍ±０（最新部分番号ビット列）を基準として、ＬａｓｔＳｅｎｄＡｃｋＮｕｍ±０よりも後に送信される５ビットシーケンス番号（ＬａｓｔＳｅｎｄＡｃｋＮｕｍ±０〜ＬａｓｔＳｅｎｄＡｃｋＮｕｍ+１５）に対応付けられる。
【００６５】
また、過去方向期間ＩＮＴＰは、ＬａｓｔＳｅｎｄＡｃｋＮｕｍ±０を基準として、少なくともＬａｓｔＳｅｎｄＡｃｋＮｕｍ±０よりも先に送信された５ビットシーケンス番号（ＬａｓｔＳｅｎｄＡｃｋＮｕｍ−１６〜ＬａｓｔＳｅｎｄＡｃｋＮｕｍ−１）に対応付けられる。すなわち、未来方向期間ＩＮＴＦは、解釈期間ＩＮＴＡＬＬの略半分の期間を占有する。
【００６６】
本実施形態では、符号化・復号化処理部１０５（符号化・復号化処理部２０５）は、未来方向期間ＩＮＴＦに対応付けられた５ビットシーケンス番号までを上限として、１３ビットシーケンス番号を５ビットシーケンス番号に符号化する。すなわち、符号化・復号化処理部１０５（符号化・復号化処理部２０５）は、ＬａｓｔＡｃｋＰｅｅｒに対して、１５（＝２（５−１）−１）を超えてＬＳＢエンコーディングを実行しない。このため、受信側（例えば、無線基地局２００）は、ＬａｓｔＳｅｎｄＡｃｋＮｕｍを基準として、１５以上離れた５ビットシーケンス番号を受信することはない。つまり、受信側は、未来方向期間ＩＮＴＦを用いて、受信した５ビットシーケンス番号を必ず１３ビットシーケンス番号に復号化できる。
【００６７】
さらに具体的に説明すると、ａｃｋ（ＬａｓｔＳｅｎｄＡｃｋＮｕｍ）が送信側（例えば、無線端末１００）に正常に返送されない場合でも、送信側が再送するパケットの５ビットシーケンス番号は、ＬａｓｔＳｅｎｄＡｃｋＮｕｍ−１６よりも現時点に近い値となることが保証される。つまり、受信側における解釈期間ＩＮＴＡＬＬの範囲を逸脱する５ビットシーケンス番号が送信側によって再送されることはない。
【００６８】
（通信システムの動作）
次に、通信システム１０の動作について説明する。具体的には、無線端末１００が５ビットシーケンス番号を格納するパケットＰｙ（図４（ｂ）参照）を無線基地局２００に順次送信する動作について説明する。
【００６９】
（１）本実施形態に係る動作
図７は、無線端末１００と無線基地局２００とにおいて実行される通信シーケンス図である。無線端末１００と無線基地局２００とは、図７に示す通信シーケンスの実行に先立って、論理的な通信路の確立を完了しているものとする。送信側（無線端末１００）は、ＬａｓｔＳｅｎｄＮｕｍ及びＬａｓｔＡｃｋＰｅｅｒの値を０に初期化する。また、受信側（無線基地局２００）は、ＬａｓｔＳｅｎｄＡｃｋＮｕｍ及びＬａｓｔＲｅｃｅｉｖｅＮｕｍの値を０に初期化する。
【００７０】
無線端末１００は、５ビットシーケンス番号を格納するパケットＰ１を無線基地局２００に送信する（タイミングｔ１）。パケットＰ１には、５ビットシーケンス番号として、１３ビットシーケンス番号（００００００００ ００００１）の下位５ビットを示す“００００１”（図中のＳＮ＝００００１参照、以下同）が付加される。なお、００００１は、解釈期間ＩＮＴＡＬＬのうち、未来方向期間ＩＮＴＦ内に位置する。
【００７１】
また、無線端末１００は、パケットＰ１を送信すると、ＬａｓｔＳｅｎｄＮｕｍの値を更新する。具体的には、無線端末１００は、ＬａｓｔＳｅｎｄＮｕｍの値を０００００から００００１に更新する。
【００７２】
無線基地局２００は、パケットＰ１を受信する（タイミングｔ２）。無線基地局２００は、パケットＰ１を復号化し、パケットＰ１に含まれるデータ列ＤＢを取得する。また、無線基地局２００は、パケットＰ１を受信すると、無線基地局２００における解釈期間ＩＮＴＡＬＬを１つスライドさせる。この場合、無線基地局２００は、ＬａｓｔＲｅｃｅｉｖｅＮｕｍの値を０００００から００００１に更新する。
【００７３】
無線基地局２００は、パケットＰ１を正常に復号化できた場合、パケットＰ１を正常に受信したことを示すａｃｋ１を無線端末１００に返送する（タイミングｔ３）。無線基地局２００は、ａｃｋ１を送信すると、ＬａｓｔＳｅｎｄＡｃｋＮｕｍの値を更新する。具体的には、無線端末１００は、ＬａｓｔＳｅｎｄＡｃｋＮｕｍの値を０００００から００００１に更新する。
【００７４】
無線端末１００は、無線基地局２００からａｃｋ１を受信した場合、ＬａｓｔＡｃｋＰｅｅｒの値を更新する（タイミングｔ４）。具体的には、無線端末１００は、ＬａｓｔＡｃｋＰｅｅｒの値を０００００から００００１に更新する。そして、この場合、無線端末１００における未来方向期間ＩＮＴＦを１つスライドさせる。
【００７５】
以下、パケットＰ１と同様に、パケットＰ２〜Ｐ５が、無線端末１００から無線基地局２００に送信される。
【００７６】
ここで、ａｃｋ４が無線区間において喪失したものとする。具体的には、以下の場合が想定される。まず、無線基地局２００は、パケットＰ４を受信する（タイミングｔ５）。そして、無線基地局２００は、ＬａｓｔＲｅｃｅｉｖｅＮｕｍの値を更新する。つまり、無線基地局２００は、ＬａｓｔＲｅｃｅｉｖｅＮｕｍの値を０００１１から００１００に更新する。
【００７７】
無線基地局２００は、パケットＰ４を受信することができたため、パケットＰ４を正常に受信したことを示すａｃｋ４を無線端末１００に返送するが、無線端末１００は、ａｃｋ４を受信できていない。
【００７８】
次いで、無線基地局２００は、パケットＰ５を受信する（タイミングｔ６）。無線基地局２００は、パケットＰ５を受信すると、無線基地局２００における解釈期間ＩＮＴＡＬＬを１つスライドさせる。この結果、ＬａｓｔＲｅｃｅｉｖｅＮｕｍの値は、００１００から００１０１に更新される。
【００７９】
また、無線基地局２００は、ａｃｋ５を送信すると、ＬａｓｔＲｅｃｅｉｖｅＮｕｍと同様に、ＬａｓｔＳｅｎｄＡｃｋＮｕｍの値を更新する。
【００８０】
一方、無線端末１００は、ａｃｋ４を受信していないため、ａｃｋ５を受信してもＬａｓｔＡｃｋＰｅｅｒの値をスライドさせない。つまり、ＬａｓｔＡｃｋＰｅｅｒの値は、ａｃｋ３を受信した時点で更新された値０００１１が保持される。
【００８１】
次いで、無線端末１００は、無線基地局２００からａｃｋ４を受信していないため、パケットＰ４を無線基地局２００に再送する（タイミングｔ７）。ＬａｓｔＡｃｋＰｅｅｒの値は、ａｃｋ３を受信した時点で更新された値０００１１が保持されているため、無線端末１００は、再送するパケットＰ４の１３ビットシーケンス番号（００００００００ ００１００）を、５ビットシーケンス番号（００１００）に符号化することができる。
【００８２】
無線基地局２００は、再送されたパケットＰ４を受信する（タイミングｔ８）。無線基地局２００は、パケットＰ５を受信した時点（タイミングｔ６）において、既にＬａｓｔＲｅｃｅｉｖｅＮｕｍの値を００１０１に更新しているが、本実施形態では、解釈期間ＩＮＴＡＬＬが過去方向期間ＩＮＴＰにも設けられているため、無線基地局２００は、パケットＰ４に付加されている５ビットシーケンス番号（００１００）を１３ビットシーケンス番号（００００００００ ００１００）に誤りなく復号化できる。
【００８３】
（２）従来例に係る動作
次に、図８及び図９を参照して、上述した本実施形態と比較するため、従来例に係る通信システムにおいて、無線端末が５ビットシーケンス番号を格納するパケットＰｙ（図４（ｂ）参照）を無線基地局に順次送信する動作について説明する。
【００８４】
図８は、従来例に係る無線端末と無線基地局とにおいて実行される通信シーケンス図である。当該通信シーケンスでは、図７に示した本実施形態に係る無線端末１００と無線基地局２００との通信シーケンスと同様に、パケットＰ１〜Ｐ５が、無線端末から無線基地局に送信され、ａｃｋ４が無線区間において喪失したものとする。
【００８５】
タイミングｔ１〜ｔ７までの動作は、本実施形態に係る無線端末１００と無線基地局２００と同様である。
【００８６】
無線基地局は、再送されたパケットＰ４を受信する（タイミングｔ８）。無線基地局は、パケットＰ５を受信した時点（タイミングｔ６）において、既にＬａｓｔＲｅｃｅｉｖｅＮｕｍの値を００１０１に更新している。従来例では、解釈期間ＩＮＴＡＬＬが過去方向には設けられていない。
【００８７】
このため、図９に示すように、無線基地局は、再送されたパケットＰ４に付加されている５ビットシーケンス番号（００１００）を受信すると、保持しているＬａｓｔＲｅｃｅｉｖｅＮｕｍの値（００１０１）よりも未来方向、つまり、００１００よりも大きい値である１００１００（＝３６）であると認識する（図中の下線部参照）。この結果、無線基地局は、再送されたパケットＰ４を、３６番目に送信されたパケットであると誤って認識してしまうのである。
【００８８】
（３）パケットの再送に係る代替案の考察
上述した実施形態では、通信シーケンス全体において、５ビットシーケンス番号が用いられていたが、上述した従来例の問題を回避するため、パケットの再送時に限って、５ビットシーケンス番号ではなく１３ビットシーケンス番号を用いる案が考えられる。
【００８９】
しかしながら、当該方法では、次のような別の問題が発生する場合がある。すなわち、図１０に示すように、５ビットシーケンス番号が付加されるパケットＰ１０には、データ列ＤＢに最大７バイト（ｄａｔａｂｙｔｅ １〜７）のデータを格納することができる。
【００９０】
パケットＰ１０を再送する場合に、５ビットシーケンス番号ではなく１３ビットシーケンス番号を用いる場合、パケットＰ１１のデータ列ＤＢに格納できるデータは、最大６バイト（４９ビット＝ビット２７〜７５）である。このため、パケットＰ１１には、７バイトのデータを格納することができない。そこで、パケットＰ１１に格納できないデータ（ｄａｔａｂｙｔｅ ７）は、パケットＰ１１と別パケットであるパケットＰ１２に格納しなければならない。
【００９１】
つまり、１３ビットシーケンス番号を用いてパケットＰ１０を再送する場合、パケットＰ１１及びパケットＰ１２の２つのパケットを再送しなければならない。このため、再送に伴うデータのスループットが大きく低下しまう場合がある。例えば、フレーム誤り率（ＦＥＲ）の劣化によって、パケットが無線区間で多数喪失した場合、喪失したパケットの再送が多発することによってデータのスループットが大きくする低下する。このような状況が発生すると、ＬＳＢエンコーディングによってシーケンス番号を１３ビットから５ビットに削減してデータのスループットを向上させたにもかかわらず、再送時のデータのスループットが大きく低下してしまう。
【００９２】
本実施形態では、無線端末１００（符号化・復号化処理部１０５）及び無線基地局２００（符号化・復号化処理部２０５）は、パケットを再送する際にも、５ビットシーケンス番号を用い、未来方向期間ＩＮＴＦに対応付けられた５ビットシーケンス番号までを上限として、１３ビットシーケンス番号を５ビットシーケンス番号に符号化する。このため、パケットの再送においても７バイトのデータを格納することができ、上述したようなデータのスループットの低下は発生しない。
【００９３】
また、本実施形態では、パケットの再送時においても５ビットシーケンス番号が用いられるため、再送されるパケットにおいても送信時と同じシーケンス番号を用いることができる。
【００９４】
（作用・効果）
通信システム１０によれば、解釈期間ＩＮＴＡＬＬには、ＬａｓｔＳｅｎｄＡｃｋＮｕｍ±０（図６参照）よりも後に送信される５ビットシーケンス番号に対応付けられた未来方向期間ＩＮＴＦと、ＬａｓｔＳｅｎｄＡｃｋＮｕｍ±０よりも先に送信された５ビットシーケンス番号に対応付けられた過去方向期間ＩＮＴＰとが設けられる。また、送信側は、未来方向期間ＩＮＴＦに対応付けられた５ビットシーケンス番号までを上限として、１３ビットシーケンス番号を５ビットシーケンス番号に符号化する。
【００９５】
このため、受信側における解釈期間ＩＮＴＡＬＬの範囲を逸脱する５ビットシーケンス番号が送信側によって再送されることはない。すなわち、ＡＲＱによって５ビットシーケンス番号を格納するパケットが再送された場合でも、ＬａｓｔＳｅｎｄＡｃｋＮｕｍ±０よりも先に送信された５ビットシーケンス番号に対応付けられた過去方向期間ＩＮＴＰが設けられているため、５ビットシーケンス番号を正しく１３ビットシーケンス番号に復号化できる。
【００９６】
本実施形態では、未来方向期間ＩＮＴＦは、解釈期間ＩＮＴＡＬＬの略半分の期間を占有する。このため、ａｃｋを確認することなく送信できるパケット数（いわゆるアウトスタンディング数）を増やしつつ、パケットが再送された場合でも５ビットシーケンス番号を正しく１３ビットシーケンス番号に確実に復号化できる。
【００９７】
本実施形態では、パケットの再送時についても５ビットシーケンス番号が用いられるため、上述したような再送するパケット数の増加に伴ってデータのスループットが低下することを防止できる。
【００９８】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９９】
例えば、上述した実施形態では、シーケンス番号（１３ビットシーケンス番号，５ビットシーケンス番号）は、パケットと対応付けられていたが、シーケンス番号は、パケットに含まれるデータ列ＤＢ、具体的には、ｄａｔａ ｂｙｔｅ１〜７と対応付けてもよい。一般的に、パケットの再送時にペイロードＰＬのサイズが変わるような場合、ｄａｔａ ｂｙｔｅ単位にシーケンス番号を対応付けることが好ましい。
【０１００】
また、上述した実施形態では、未来方向期間ＩＮＴＦと過去方向期間ＩＮＴＰとは、略同一の期間であったが、過去方向期間ＩＮＴＰが、未来方向期間ＩＮＴＦ以上の長さを有していればよい。
【０１０１】
さらに、上述した実施形態では、１３ビットシーケンス番号と５ビットシーケンス番号とが用いられていたが、シーケンス番号に用いるビット数は、必ずしも１３ビットと５ビットでなくても構わない。
【０１０２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０３】
【図１】本発明の実施形態に係る通信システムの全体概略構成図である。
【図２】本発明の実施形態に係る通信装置（無線端末）の機能ブロック構成図である。
【図３】本発明の実施形態に係る通信装置（無線基地局）の機能ブロック構成図である。
【図４】本発明の実施形態に係る通信装置が送受信するパケットの構成図である。
【図５】本発明の実施形態に係る通信装置に備えられるＲＡＭの使用形態を説明する説明図である。
【図６】本発明の実施形態に係る解釈期間の構成を示す図である。
【図７】本発明の実施形態に係る通信装置間において実行される通信シーケンス図である。
【図８】従来例に係る通信装置間において実行される通信シーケンス図である。
【図９】１３ビットシーケンス番号と５ビットシーケンス番号との関係を示す図である。
【図１０】本発明の実施形態に係る再送パケットの一例を示す図である。
【符号の説明】
【０１０４】
１０…通信システム、１００…無線端末、１０１…無線通信部、１０３…再送制御部、１０５…符号化・復号化処理部、１０７…スライド窓制御部、１０９…パケット処理部、１０９ａ…ＲＡＭ、２００…無線基地局、２０１…無線通信部、２０３…再送制御部、２０５…符号化・復号化処理部、２０７…スライド窓制御部、２０９…パケット処理部、２０９ａ…ＲＡＭ、ＤＢ…データ列、ＨＤ…ヘッダ、ＩＮＴＡＬＬ…解釈期間、ＩＮＴＦ…未来方向期間、ＩＮＴＰ…過去方向期間、Ｐｘ，Ｐｙ…パケット、ＰＢ…パディングビット、ＰＬ…ペイロード、ＲＤ１…受信済データ、ＲＤ２…未受信データ、ＴＤ…ａｃｋ待ち送信データ
【図１】
2008060850.tif 000004
【図２】
2008060850.tif 000005
【図３】
2008060850.tif 000006
【図４】
2008060850.tif 000007
【図５】
2008060850.tif 000008
【図６】
2008060850.tif 000009
【図７】
2008060850.tif 000010
【図８】
2008060850.tif 000011
【図９】
2008060850.tif 000012
【図１０】
2008060850.tif 000013